(57)【要約】【課題】  記録材料の振り分けを行った際に、複数設けられたガイドローラプレート間の隙間に記録材料の側端が引っ掛かることを防止した搬送機構、及び画像記録装置を提供する。【解決手段】  主走査方向に複数設けれたガイドローラプレート１０１で、露光位置での記録材料の浮きを押さえる。これらのガイドローラプレート１０１の記録材料と接する面には、搬送方向に沿ってすじ状に隆起したリブ１０７を形成する。リブ１０７は、各ガイドローラプレート１０１同士が隣接する側端部には必ず設ける。主走査方向に振り分けられた記録材料は、リブ１０７によってガイドローラプレート１０１から離れる方向に案内されるので、引っ掛かることなく各ガイドローラプレート１０１間の隙間を越える。【選択図】        図３
2006016121.tif 000002
【特許請求の範囲】
【請求項１】
搬送するシート体を受ける受け板と、この受け板に近接して配置され、前記シート体の浮きを防止するために前記シート体の搬送方向と略直交する前記シート体の幅方向に複数設けられた押さえ板とを備えた搬送機構において、
前記各押さえ板の前記シート体と接する面に、すじ状に隆起したリブを設けたことを特徴とする搬送機構。
【請求項２】
前記リブは、前記搬送方向に沿って形成されており、少なくとも前記各押さえ板同士が隣接する側端部に設けられていることを特徴とする請求項１記載の搬送機構。
【請求項３】
前記リブは、搬送方向の上流側から下流側に向けて外側に広がるように斜めに形成されていることを特徴とする請求項１記載の搬送機構。
【請求項４】
前記各押さえ板の前記シート体と接する面には、摺動性のよい樹脂材料が用いられていることを特徴とする請求項１から４のいずれか１項に記載の搬送機構。
【請求項５】
搬送するシート状の記録材料を受ける受け板と、この受け板に近接して配置され、前記記録材料の浮きを防止するために前記記録材料の搬送方向と略直交する前記記録材料の幅方向に複数設けられた押さえ板とを有する搬送機構と、この搬送機構で搬送される前記記録材料に対して画像記録を行う画像記録手段と、画像記録がなされた前記記録材料を前記幅方向に振り分けて複数列で搬出する振り分け機構とを備えた画像記録装置において、
前記各押さえ板の前記記録材料と接する面に、すじ状に隆起したリブを設けたことを特徴とする画像記録装置。
【請求項６】
前記リブは、前記搬送方向に沿って形成されており、少なくとも前記各押さえ板同士が隣接する側端部に設けられていることを特徴とする請求項５記載の画像記録装置。
【請求項７】
前記リブは、搬送方向の上流側から下流側に向けて外側に広がるように斜めに形成されていることを特徴とする請求項５記載の画像記録装置。
【請求項８】
前記各押さえ板の前記記録材料と接する面には、摺動性のよい樹脂材料が用いられていることを特徴とする請求項５から７のいずれか１項に記載の画像記録装置。
【発明の詳細な説明】
【技術分野】
【０００１】
本発明は、シート体の搬送方向と略直交するシート体の幅方向に複数の押さえ板を有する搬送機構、及びこの搬送機構を用いた画像記録装置に関する。
【背景技術】
【０００２】
写真フイルムに記録された画像を光電的に読み取ることで得られるデジタルの画像データや、メモリカードなどの記録媒体に記録された画像データに基づいて強度変調される記録光で感光性記録紙（記録材料）を露光した後、現像・乾燥処理を行ってプリント写真を作成するプリンタプロセサ（画像記録装置）が広く普及している。
【０００３】
このようなプリンタプロセサで感光性記録紙に露光を行う露光部は、例えば、光源となるレーザを備えた画像記録手段としての露光装置と、感光性記録紙を一定の方向に搬送する搬送装置（搬送機構）とから構成されている。搬送装置は、露光を行う位置（以下、「露光位置」と称す）の前後に駆動ローラとニップローラとからなる搬送ローラ対を備えており、この搬送ローラ対で感光性記録紙を挟持搬送している。ところが、搬送ローラ対に感光性記録紙が突き当たるときや抜け出るときの負荷変動が、感光性記録紙の搬送に影響を与えて、いわゆる露光ムラの要因となることがあった。この露光ムラは、プリント写真の画質を著しく低下させるため、露光位置の前後に配された搬送ローラ対のうち、従動回転するニップローラを上下に移動させてニップ／ニップ解除の制御を行い、露光ムラの発生を抑えたプリンタプロセサが、例えば、下記特許文献１などで知られている。
【０００４】
また、前述の搬送装置には、搬送ローラ対の他に、露光位置の前後で感光性記録紙の浮きを防止する押さえ板が設けられている。この押さえ板は、搬送方向と直交する方向（以下、「主走査方向」と称す）に複数並べられており、感光性記録紙の幅に応じた長さが形成されている。
【０００５】
一方、装置の小型化やコストダウン、及び処理能力の向上を目的として、例えば、感光性記録紙を挟持したローラ対を主走査方向に移動させることにより、露光後の感光性記録紙を複数列に振り分けて現像装置に送り込む振り分け装置（振り分け機構）を備えたプリンタプロセサが、例えば、下記特許文献２などで知られている。
【０００６】
【特許文献１】特開２００３−２１２３８４号公報
【特許文献２】特開２００２−００３００２号公報
【発明の開示】
【発明が解決しようとする課題】
【０００７】
装置の小型化やコストダウンといった観点から、前述の振り分けは、露光が終了した直後に行われることが好ましい。しかしながら、感光性記録紙の後端が露光部にあるうちに振り分けを行ってしまうと、搬送装置に設けられた各押さえ板間の隙間に感光性記録紙の側端が引っ掛かり、例えば、この感光性記録紙に傷などのダメージを与えてしまったり、引っ掛かった際に露光部に振動や衝撃を加えて、露光している次の感光性記録紙に露光ムラが生じたりといった問題があった。そのため、感光性記録紙の後端が露光部を通過するまで振り分けを行うことができず、その分搬送距離が長くなっていた。
【０００８】
本発明は、上記課題を鑑みてなされたものであって、感光性記録紙の後端が露光部にあるうちに振り分けを行った際にも、各押さえ板間の隙間に感光性記録紙の側端が引っ掛かることを防止した搬送機構及び画像記録装置を提供することを目的とする。
【課題を解決するための手段】
【０００９】
上記課題を解決するため、本発明の搬送機構及び画像記録装置は、搬送するシート状の記録材料を受ける受け板と、この受け板に近接して配置され、前記記録材料の浮きを防止するために前記記録材料の搬送方向と略直交する前記記録材料の幅方向に複数設けられた押さえ板とを備え、前記各押さえ板の前記記録材料と接する面に、すじ状に隆起したリブを設けたことを特徴とする。
【００１０】
また、前記リブは、前記搬送方向に沿って形成されており、少なくとも前記各押さえ板同士が隣接する側端部に設けられていることが好ましい。
【００１１】
なお、前記リブは、搬送方向の上流側から下流側に向けて外側に広がるように斜めに形成してもよい。
【００１２】
また、本発明の搬送機構及び画像記録装置は、搬送するシート状の記録材料を受ける受け板と、この受け板に近接して配置され、前記記録材料の浮きを防止するために前記記録材料の搬送方向と略直交する前記記録材料の幅方向に複数設けられた押さえ板とを備え、前記各押さえ板を、外側のものほど前記受け板との間隔が広がるように、段階的に設ける構成としてもよい。
【００１３】
さらに、前記各押さえ板の前記記録材料と接する面には、摺動性のよい樹脂材料が用いられていることが好ましい。
【発明の効果】
【００１４】
本発明の搬送機構、及び画像記録装置によれば、主走査方向に複数設けられた押さえ板の記録材料と接する面に、すじ状に隆起したリブを設けたので、記録材料が主走査方向に移動した際に、このリブによって押さえ板から離れる方向に案内されるので、各押さえ板間の隙間に記録材料の側端が引っ掛かることを防止して、搬送距離を短くすることができる。
【発明を実施するための最良の形態】
【００１５】
図１は、本発明を実施したプリンタプロセサ（画像記録装置）１０の構成を概略的に示す説明図である。プリンタプロセサ１０は、画像入力装置１２、画像処理装置１３、プリンタ１５及びプロセサ１６を備えている。プリンタプロセサ１０を構成する各部は、図示しない配線を介して制御部１７に接続されており、この制御部１７によってプリンタプロセサ１０全体の動作が制御される。
【００１６】
画像入力装置１２は、写真フィルムに記録された画像の投影光をＣＣＤイメージセンサなどの撮像素子を用いて光電的に読み取ることで画像データを作成し、あるいはメモリカードなどの記録媒体に記録された画像データを読み出すことで、画像データを取得する。この画像データは画像処理装置１３に送られ、カラーバランス補正や濃度補正などの画像処理が行われる。画像処理が行われた画像データはプリンタ１５に送られ、画像記録に用いられる。
【００１７】
プリンタ１５は、所定長にカットされたカット記録紙を搬送しながら、画像データに基づいて強度変調された記録光にて画像記録を行うものであり、搬送方向の上流側から、供給部２０、裏印字部２２、レジスト部２４、露光部２６、振り分け部２８、及び搬出部３０を備える。各部位には、駆動ローラとニップローラとから構成される搬送ローラ対が、カット記録紙の搬送路に沿って複数設けられている。
【００１８】
供給部２０には、ロール状に巻かれた長尺の感光性記録紙（記録材料）３４を収納するマガジン２０ａ、２０ｂがセットされる。各マガジン２０ａ、２０ｂには、感光性記録紙３４を引き出して裏印字部２２に向けて搬送するための引出ローラ対２１ａ、２１ｂが設けられている。なお、本実施例では２つのマガジン２０ａ、２０ｂを設けているが、マガジンの数は１個でもよいし、３個以上でもよい。
【００１９】
マガジン２０ａ、２０ｂの出口から所定長だけ離れた位置には、感光性記録紙３４を切断するためのカッタ３６が備えられている。カッタ３６は、制御部１７からの制御信号を受けて駆動し、プリントサイズに合わせて送り出された感光性記録紙３４を切断してカット記録紙Ｐを形成する。なお、本実施形態においては、ギロチン型のカッタを用いているが、これに限らず回転刃を用いたロータリカッタなど、他の方式のカッタを用いてもよい。
【００２０】
裏印字部２２は、例えば、写真の撮影日、プリント日、コマ番号、各種ＩＤなどのプリント情報を、カット記録紙Ｐの非記録面（乳剤面と反対側の面）に記録する裏印字ヘッド３８を備えている。裏印字ヘッド３８としては、後に行われる湿式の現像処理に耐性のあるものであればドットインパクトヘッド、インクジェットヘッド、熱転写プリントヘッドなどの公知のプリントヘッドを用いることができる。
【００２１】
レジスト部２４は、露光部２６における露光位置・角度ズレを防止するために、カット記録紙Ｐの傾き及び幅方向の位置を調整するレジスト用ローラ対４０と、このレジスト用ローラ対４０の前後に配置される複数の搬送ローラ対から構成される。レジスト用ローラ対４０による傾き及び幅方向位置を調整する方法は、チルトレジスト、トップレジスト、及びサイドレジストなどの公知の方法を用いることができる。
【００２２】
露光部２６は、光源となるレーザを備えた画像記録手段としての露光装置４２と、カット記録紙Ｐを一定の方向に搬送する搬送装置（搬送機構）４４とから構成されている。露光装置４２は、画像処理装置１３と接続されており、この画像処理装置１３から入力された画像データに基づいて強度変調した赤、緑、青のレーザ光ＬＢを、搬送方向と略直交する主走査方向（幅方向）に走査して、カット記録紙Ｐに画像を記録する。搬送装置４４には、レーザ光ＬＢによる露光位置ＥＰを挟むようにして、第１搬送ローラ対７０、及び第２搬送ローラ対７１が設けられており、この第１搬送ローラ対７０と第２搬送ローラ対７１でカット記録紙Ｐを所定の速度で挟持搬送する。
【００２３】
振り分け部２８は、単列で搬送されたカット記録紙Ｐを予め定められた第１速度で搬送しながら、これを主走査方向に複数列に振り分ける。この振り分け部２８は、交換可能なユニットとして構成されており、プリンタプロセサ１０の処理速度に応じた能力のものが着脱自在にセットされる。また、搬出部３０は、振り分け部２８から送られるカット記録紙Ｐを、プロセサ１６の処理速度に対応する第２速度に調速し、プロセサ１６へ送る。
【００２４】
プロセサ１６は、現像処理部５０、乾燥処理部５１、振り戻し部５２、およびソータ５３から構成される。現像処理部５０には、搬送方向の上流側から順に、現像槽６０、漂白定着槽６１と、第１水洗槽６３、第２水洗槽６４、第３水洗槽６５、第４水洗槽６６からなる水洗槽６２とが設けられている。現像槽６０には現像液が、漂白定着槽６１には漂白定着液が、また、第１水洗槽６３〜第４水洗槽６６には洗浄水が、それぞれ所定量貯蔵されており、カット記録紙Ｐが、現像槽６０、漂白定着槽６１、および第１水洗槽６３〜第４水洗槽６６にそれぞれ設けられた搬送ラックの駆動力を受けて各処理槽６０〜６２内を搬送されることで、現像・定着・洗浄の各処理が行われる。
【００２５】
乾燥処理部５１は、各処理槽６０〜６２の上方に配置されており、搬送ベルトと送風ダクトとから構成されている。送風ダクトは搬送ベルトに向けてヒータで熱せられた乾燥風を吹き出して、カット記録紙Ｐを搬送ベルト側に押し付ける。この状態で送風ダクトの上を通過させることで、カット記録紙Ｐに付着した洗浄水が除去される。
【００２６】
乾燥処理部５１を通過したカット記録紙Ｐは、振り戻し部５２に送られる。振り戻し部５２は、２列で搬送されたカット記録紙Ｐを単列に振り戻す。ソータ５３は、振り戻し部５２から送られた複数のカット記録紙Ｐをプリントジョブ毎にまとめて出力する。
【００２７】
図２は、搬送装置４４の構成を概略的に示す説明図である。前述のとおり搬送装置４４には、露光装置４２が走査露光する露光位置ＥＰの上流側及び下流側に、それぞれ第１搬送ローラ対７０、第２搬送ローラ対７１が設けられている。
【００２８】
第１搬送ローラ対７０は、図示を省略した搬送モータによって回転駆動される第１キャプスタンローラ７２と、この第１キャプスタンローラ７２とともにカット記録紙Ｐを挟持して従動回転する第１ニップローラ７３とから構成されている。また、第２搬送ローラ対７１は、図示せぬベルトを介して第１キャプスタンローラ７２に接続され、第１キャプスタンローラ７２と同期して回転する第２キャプスタンローラ７４と、従動回転する第２ニップローラ７５とから構成されており、各搬送ローラ対７０、７１は、搬送するカット記録紙Ｐを受けるガイドプレート（受け板）７６を、各キャプスタンローラ７２、７４と各ニップローラ７３、７５とで挟むように配置されている。また、これらの各ローラ７２〜７５は、軸方向で複数に分離された、いわゆる串型ローラであって、ガイドプレート７６に設けた切り欠きから各キャプスタンローラ７２、７４の周面がわずかに突出している。
【００２９】
各ニップローラ７３、７５は、それぞれ第１ローラフレーム８０、及び第２ローラフレーム８１に回動自在に取り付けられており、各ローラフレーム８０、８１は、取付軸８２、８３を介して機枠７８の側板に回動自在に取り付けられる。
【００３０】
機枠７８の側板には、各ローラフレーム８０、８１を図中上下方向に移動させて、各ニップローラ７３、７５のニップ及びニップ解除を行うカム機構９０が設けられている。カム機構９０は、プーリ部９１と、第１偏芯カム９２と、第２偏芯カム９３と、２つのプーリ９４、９５とから構成されており、プーリ部９１と、各プーリ９４、９５には、タイミングベルト９６が巻き架けられている。また、プーリ９４には、制御部１７からの指示に応じてプーリ９４を回転駆動するモータ９７が接続されている。このモータ９７がプーリ９４を回転駆動することにより、タイミングベルト９６を介してプーリ部９１が回転し、これに応じて第１偏芯カム９２、及び第２偏芯カム９３が回転する。
【００３１】
各ローラフレーム８０、８１の一端には、第１偏芯カム９２、及び第２偏芯カム９３の外周面と接するように、それぞれ第１カムフォロワ８４、及び第２カムフォロワ８５が設けられている。また、各ローラフレーム８０、８１は、機枠７８の上カバーとの間に取り付けられたコイルバネ８６によって、それぞれ第１偏芯カム９２、及び第２偏芯カム９３の外周面に向かう方向に付勢されている。これにより、各偏芯カム９２、９３を回転させることによって、各ローラフレーム８０、８１が各取付軸８２、８３を中心として揺動するので、各ニップローラ７３、７５のニップ及びニップ解除を行うことができる。
【００３２】
また、各ローラフレーム８０、８１には、露光位置ＥＰにおけるカット記録紙Ｐの浮き上がりを防止するため、先端にガイドローラ１０２、１０３が取り付けられたガイドローラプレート（押さえ板）１００、１０１が、それぞれ各取付軸８２、８３に回動自在に設けられている。また、各ローラフレーム８０、８１と、各ガイドローラプレート１００、１０１との間には、ねじりコイルバネ１０４、１０５が設けられている。このねじりコイルバネ１０４、１０５は、カット記録紙Ｐを押さえつける方向に、各ガイドローラプレート１００、１０１を付勢する。
【００３３】
図３は、搬送方向下流側に位置する第２ローラフレーム８１と、ガイドローラプレート１０１とを下方から見た斜視図である。ガイドローラプレート１０１は、製造性や保全性の向上を目的として、主走査方向に複数設けられ、カット記録紙Ｐの幅に応じた長さが形成されている。
【００３４】
各ガイドローラプレート１０１には、串型ローラである第２ニップローラ７５の各ローラ本体７５ａを露呈させる窓部１０６が形成されている。また、各ガイドローラプレート１０１のカット記録紙Ｐと接する面には、すじ状に隆起したリブ１０７が形成されている。このリブ１０７は、搬送方向に沿って形成されており、少なくとも各ガイドローラプレート１０１同士が隣接する側端部には必ず設けられている。なお、各ガイドローラプレート１０１のカット記録紙Ｐと接する面は、カット記録紙Ｐとの摩擦を抑えるため、摺動性のよい樹脂材料、例えば、ポリアセタールやフッ素樹脂などを用いることが好ましい。
【００３５】
また、第２ローラフレーム８１の背面には、各ガイドローラプレート１０１の後端部と当接する複数のストッパ１０８が形成されており、このストッパ１０８によって、ガイドローラプレート１０１の回動が制限される。
【００３６】
次に、上記構成によるプリンタプロセサ１０の作用について説明する。プリントが指示された制御部１７は、供給部２０に装填されたマガジン２０ａ、２０ｂから感光性記録紙３４を所定長だけ引き出し、カッタ３６を駆動してカット記録紙Ｐを形成する。このカット記録紙Ｐは、裏印字部２２にて撮影情報などの所定情報が記録された後、レジスト部２４においてスキューや主走査方向の位置が調整され、露光部２６に送られる。
【００３７】
カット記録紙Ｐが送られた露光部２６では、搬送装置４４が各搬送ローラ対７０、７１を駆動して、カット記録紙Ｐを所定速度で搬送する。このとき搬送装置４４は、例えば、図示しない位置センサなどでカット記録紙Ｐの先端または後端を検出したときにカム機構９０を駆動し、各ニップローラ７３、７５のニップ及びニップ解除を切り替える。これにより、カット記録紙Ｐの先端が下流側の第２搬送ローラ対７１に突き当たったり、後端が上流側の第１搬送ローラ対７０から抜け出ることで、カット記録紙Ｐに過度の衝撃が加わることを防止する。露光装置４２は、搬送装置４４が露光位置ＥＰに搬送したカット記録紙Ｐに対して、画像処理装置１３からの画像データに基づいて変調したレーザ光ＬＢで画像を走査露光する。
【００３８】
画像記録がなされたカット記録紙Ｐは、振り分け部２８に送られ、この振り分け部２８によって複数列に振り分けられる。この際、下流側に位置する各ガイドローラプレート１０１のカット記録紙Ｐと接する面には、リブ１０７が形成されているので、カット記録紙Ｐの後端が各ガイドローラプレート１０１にあるうちに振り分けを行っても、リブ１０７によってガイドローラプレート１０１から離れる方向に案内されるので、各ガイドローラプレート１０１間の隙間にカット記録紙Ｐの側端が引っ掛かることを防止することができる。
【００３９】
これにより、各ガイドローラプレート１０１を抜けるまでカット記録紙Ｐを搬送する必要がないので、搬送距離を短くすることができる。また、露光部２６が次のカット記録紙に画像記録を行っている際に、引っ掛かりによる振動や衝撃が発生しないので、次のカット記録紙に露光ムラが発生することもない。さらに、リブ１０７を設けたことによって、カット記録紙Ｐとの接触面積が減少するので、例えば、温度や湿度などによって乳剤面（各ガイドローラプレート１０１と接触する側の面）がべと付く場合にも、その影響を低減させることができる。
【００４０】
振り分け部２８で複数列に振り分けられたカット記録紙Ｐは、搬出部３０でプロセサ１６の処理速度に対応する速度に調速された後、プロセサ１６に送られる。プロセサ１６は、画像記録がなされたカット記録紙Ｐに現像・定着などの処理を行ってプリント写真を形成し、乾燥処理部５１で乾燥させた後に振り戻し部５２に送る。
【００４１】
カット記録紙Ｐが複数列に振り分けられている場合には、振戻部５２において単列に戻されてソータ５３に送られる。ソータ５３は、複数のカット記録紙Ｐをプリントジョブ毎にまとめ、これをプリンタプロセサ１０の外部に出力する。
【００４２】
感光性記録紙３４は、乾燥などによって乳剤面が縮み、裏面を凸としたカールが発生することがある。上記実施形態では、露光装置４２が搬送装置４４の上方に位置しているため、前述のカールが発生した場合、カット記録紙Ｐの側端部が各ガイドローラプレート１０１側を向いている。また、露光部２６を通過したカット記録紙Ｐは、下方に曲げられながら振り分け部２８に向かう。このときカット記録紙Ｐの腰によって、後端部分は各ガイドローラプレート１０１側に押し付けられる。これらの理由から、本実施形態ではガイドローラプレート１０１側にリブ１０７を設けたが、露光装置４２が搬送装置４４の下方に位置している場合や、露光部２６を通過したカット記録紙Ｐが上方に曲げられながら振り分け部２８に向かう場合などには、カット記録紙Ｐを受けるガイドプレート７６側にリブ１０７を設ける構成としてもよい。
【００４３】
また、例えば、振り分け部２８が露光部２６の上流側に位置する場合などには、上流側のガイドローラプレート１００にリブ１０７を設ける構成としてもよい。
【００４４】
なお、リブ１０７は、図４に示すように、搬送方向の上流側から下流側に向けて外側に広がるように斜めに形成してもよい。これにより、振り分け部２８がカット記録紙Ｐの振り分けを行った際に、各ガイドローラプレート１０１間の隙間にカット記録紙Ｐの側端が引っ掛かることを防止することができるとともに、斜めに形成されたリブ１１０に沿うようにして主走査方向に案内されるので、振り分けをスムーズに行うことができる。また、図５に示すように、リブ１０７の代わりに従動ローラ１１２を設けて、主走査方向に振り分けられるカット記録紙Ｐを案内するようにしてもよい。
【００４５】
なお、ガイドローラプレート１０１を押しつけ方向に付勢するねじりコイルバネ１０５は、主走査方向に複数設けられた各ガイドローラプレート１０１のそれぞれに取り付けられていることが好ましい。このとき、各ねじりコイルバネ１０５の付勢力は同一であってもよいし、外側のガイドローラプレート１０１に対応するものほど付勢力を弱くしていき、カット記録紙Ｐを主走査方向に振り分けたときにスムーズに流れるようにしてもよい。
【００４６】
図６は、本発明の別の実施形態を示す各ガイドローラプレート１０１の斜視図である。本実施形態のガイドローラプレート１０１は、外側に向かうほどガイドプレート７６との間隔が広がるように、段階的に設けられている。これにより、カット記録紙Ｐが搬送中心から外側に向かう際には、ガイドローラプレート１０１間の段差を降りるようになるので、カット記録紙Ｐの側端が各ガイドローラプレート１０１間の隙間に引っ掛かることを防止できる。
【００４７】
但し、カット記録紙Ｐの浮きを押さえるという性質上、ガイドローラ１０３は、直線状に設ける必要がある。図６では、取付ステー１２０を介して第２ローラフレーム８１の取付軸８３に取り付ける構成としたが、各ガイドローラプレート１０１から同一の高さとなるように取り付ける構成としてもよい。
【００４８】
上記実施形態では、デジタルデータに基づいて画像記録を行うことによりプリント写真を作成するタイプのプリンタプロセサを例に説明したが、本発明はこれに限ることなく、例えば、フィルムからの投影光で直接画像を記録するタイプのプリンタプロセサに適用してもよい。また、インクジェットプリンタやサーマルプリンタなどの他のタイプの画像記録装置に本発明を適用してもよい。
【図面の簡単な説明】
【００４９】
【図１】プリンタプロセサの構成を概略的に示す説明図である。
【図２】搬送装置の構成を概略的に示す説明図である。
【図３】ローラフレームとガイドローラプレートとを下方から見た斜視図である。
【図４】リブの変形例を示す平面図である。
【図５】リブの変形例を示す平面図である。
【図６】ガイドローラプレートの第２実施形態を示す斜視図である。
【符号の説明】
【００５０】
１０  プリンタプロセサ（画像記録装置）
２８  振り分け部（振り分け機構）
３４  感光性記録紙（記録材料）
４２  露光装置（画像記録手段）
４４  搬送装置（搬送機構）
７６  ガイドプレート（受け板）
１０１  ガイドローラプレート（押さえ板）
１０７  リブ
【図１】
2006016121.tif 000003
【図２】
2006016121.tif 000004
【図３】
2006016121.tif 000005
【図４】
2006016121.tif 000006
【図５】
2006016121.tif 000007
【図６】
2006016121.tif 000008